(57)【要約】【課題】複数の被写体の自動撮像処理を好適に行う。【解決手段】撮像装置１００であって、被写体側に臨むように配設可能な、撮像部１により撮像される画像を表示する表示パネル７ａと、撮像指示が入力されてから所定の条件で自動的に撮像部により被写体を撮像させる自動撮像処理の実行を制御する撮像制御部２と、撮像部による撮像の対象となる被写体の数を特定する第１特定部６ｂと、特定された被写体の数に応じて、表示パネルに表示され、自動撮像処理にて被写体が撮像されるまでの間に変化する所定の条件に係る条件関連表示の大きさ及び位置のうちの少なくとも一方を変化させる表示制御部７ｂとを備えている。【選択図】図１
2014053664.tif 000002
【特許請求の範囲】
【請求項１】
撮像手段と、
被写体側に臨むように配設可能な、前記撮像手段により撮像される画像を表示する表示手段と、
撮像指示が入力されてから所定の条件で自動的に前記撮像手段により被写体を撮像させる自動撮像処理の実行を制御する撮像制御手段と、
前記撮像手段による撮像の対象となる被写体の数を特定する第１特定手段と、
前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段と、
を備えたことを特徴とする撮像装置。
【請求項２】
前記所定の条件は、前記撮像指示が入力されてから所定の時間後に前記撮像手段により被写体を撮像させる自動撮像処理の実行に係る条件であって、
前記条件関連表示は、前記被写体が撮像されるまでの残り時間であることを特徴とする請求項１に記載の撮像装置。
【請求項３】
前記表示制御手段は、更に、前記第１特定手段により特定された被写体の数が多いほど前記条件関連表示を前記表示手段の表示画面に対して相対的に大きく表示させることを特徴とする請求項１又は２に記載の撮像装置。
【請求項４】
前記表示制御手段は、更に、前記撮像手段により撮像されるライブビュー画像を前記表示手段に表示させるとともに、当該ライブビュー画像に重畳させて前記条件関連表示を前記表示手段に表示させることを特徴とする請求項１〜３の何れか一項に記載の撮像装置。
【請求項５】
前記撮像手段により撮像された前記被写体としての人の顔の位置を特定する第２特定手段を更に備え、
前記表示制御手段は、前記撮像手段により撮像された前記人の画像を前記表示手段に表示させるとともに、当該画像における前記第２特定手段により特定された前記人の顔の位置とは異なる位置に前記条件関連表示を表示させることを特徴とする請求項１〜４の何れか一項に記載の撮像装置。
【請求項６】
前記表示制御手段は、前記第１特定手段により前記被写体としての人の顔が特定されなかった場合に、前記条件関連表示を前記表示手段の表示画面内の端部に当該表示画面に対して相対的に小さく表示させることを特徴とする請求項１〜５の何れか一項に記載の撮像装置。
【請求項７】
前記被写体の数に応じて、前記自動撮像処理にて前記撮像手段が前記被写体を撮像するまでの時間を変化させる第１設定制御手段を更に備えることを特徴とする請求項１〜６の何れか一項に記載の撮像装置。
【請求項８】
前記第１設定制御手段は、前記第１特定手段により特定された前記被写体の数が多いほど前記自動撮像処理にて前記撮像手段が前記被写体を撮像するまでの時間を相対的に長くすることを特徴とする請求項７に記載の撮像装置。
【請求項９】
前記被写体の数に応じて、前記自動撮像処理にて前記撮像手段が被写体を連続して撮像する数を変化させる第２設定制御手段を更に備えることを特徴とする請求項１〜８の何れか一項に記載の撮像装置。
【請求項１０】
前記第２設定制御手段は、前記第１特定手段により特定された前記被写体の数が多いほど前記自動撮像処理にて前記撮像手段が前記被写体を撮像する数を相対的に多くすることを特徴とする請求項９に記載の撮像装置。
【請求項１１】
前記撮像手段により連続して撮像された所定枚数の画像の中で、当該画像内の被写体の状態を基準として特定の画像を選択する選択手段を更に備えることを特徴とする請求項９又は１０に記載の撮像装置。
【請求項１２】
撮像手段と、被写体側に臨むように配設可能な、前記撮像手段により撮像される画像を表示する表示手段と、を備える撮像装置を用いた撮像方法であって、
撮像指示が入力されてから所定の条件で自動的に前記撮像手段により被写体を撮像させる自動撮像処理の実行を制御する処理と、
前記撮像手段による撮像の対象となる被写体の数を特定する処理と、
特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる処理と、
を含むことを特徴とする撮像方法。
【請求項１３】
撮像手段と、被写体側に臨むように配設可能な、前記撮像手段により撮像される画像を表示する表示手段と、を備える撮像装置のコンピュータを、
撮像指示が入力されてから所定の条件で自動的に前記撮像手段により被写体を撮像させる自動撮像処理の実行を制御する撮像制御手段、
前記撮像手段による撮像の対象となる被写体の数を特定する第１特定手段、
前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、セルフタイマーの残り時間の報知に係るＬＥＤの点滅や発音等に代えて、ユーザが撮像タイミングをより明確に認識できるように、ディスプレイに残り時間を表示させる技術が開示されている。（例えば、特許文献１参照）。
【先行技術文献】
【特許文献】
【０００３】
【特許文献１】特開２００４−２８２３９９号公報
【発明の概要】
【発明が解決しようとする課題】
【０００４】
しかしながら、上記特許文献１等の場合、メインディスプレイの他にも残り時間の表示用のサブディスプレイが必要となる。また、公知の技術を利用することで、メインディスプレイに残り時間を表示することができるものの、効果的な表示とすることができないといった問題がある。
【０００５】
そこで、本発明の課題は、複数の被写体の自動撮像処理を好適に行うことができる撮像装置、撮像方法及びプログラムを提供することである。
【課題を解決するための手段】
【０００６】
上記課題を解決するため、本発明に係る撮像装置は、
撮像手段と、被写体側に臨むように配設可能な、前記撮像手段により撮像される画像を表示する表示手段と、撮像指示が入力されてから所定の条件で自動的に前記撮像手段により被写体を撮像させる自動撮像処理の実行を制御する撮像制御手段と、前記撮像手段による撮像の対象となる被写体の数を特定する第１特定手段と、前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段と、を備えたことを特徴としている。
【０００７】
また、本発明に係る撮像方法は、
撮像手段と、被写体側に臨むように配設可能な、前記撮像手段により撮像される画像を表示する表示手段と、を備える撮像装置を用いた撮像方法であって、撮像指示が入力されてから所定の条件で自動的に前記撮像手段により被写体を撮像させる自動撮像処理の実行を制御する処理と、前記撮像手段による撮像の対象となる被写体の数を特定する処理と、特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる処理と、を含むことを特徴としている。
【０００８】
また、本発明に係るプログラムは、
撮像手段と、被写体側に臨むように配設可能な、前記撮像手段により撮像される画像を表示する表示手段と、を備える撮像装置のコンピュータを、撮像指示が入力されてから所定の条件で自動的に前記撮像手段により被写体を撮像させる自動撮像処理の実行を制御する撮像制御手段、前記撮像手段による撮像の対象となる被写体の数を特定する第１特定手段、前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段、として機能させることを特徴としている。
【発明の効果】
【０００９】
本発明によれば、複数の被写体の自動撮像処理を好適に行うことができる。
【図面の簡単な説明】
【００１０】
【図１】本発明を適用した一実施形態の撮像装置の概略構成を示すブロック図である。
【図２】図１の撮像装置の外観を示す斜視図である。
【図３】図１の撮像装置による撮像処理に係る動作の一例を示すフローチャートである。
【図４】図３の撮像処理の続きを示すフローチャートである。
【図５】図３の撮像処理に係るライブビュー画像の表示の一例を模式的に示す図である。
【図６】図３の撮像処理に係るライブビュー画像の表示の一例を模式的に示す図である。
【図７】変形例１の撮像装置の概略構成を示すブロック図である。
【図８】図７の撮像装置による撮像処理に係る動作の一例を示すフローチャートである。
【図９】自動撮像処理の変形例に係るライブビュー画像の表示の一例を模式的に示す図である。
【発明を実施するための形態】
【００１１】
以下に、本発明について、図面を用いて具体的な態様を説明する。ただし、発明の範囲は、図示例に限定されない。
【００１２】
図１は、本発明を適用した一実施形態の撮像装置１００の概略構成を示すブロック図である。また、図２は、撮像装置１００の外観を示す斜視図である。
図１に示すように、本実施形態の撮像装置１００は、具体的には、撮像部１と、撮像制御部２と、画像データ生成部３と、メモリ４と、記録媒体制御部５と、画像処理部６と、表示部７と、操作入力部８と、中央制御部９とを備えている。
また、撮像部１、撮像制御部２、画像データ生成部３、メモリ４、記録媒体制御部５、画像処理部６、表示部７及び中央制御部９は、バスライン１０を介して接続されている。
【００１３】
また、撮像装置１００は、図２に示すように、装置本体部１００Ａが外形略「コ」字状のフレーム部１００Ｂの所定位置に対して所定方向の軸（例えば、図２における軸Ａ等）周りに所定角度回動自在に軸支されている。また、装置本体部１００Ａは、フレーム部１００Ｂに軸支されている基端部１０１Ａに対して、先端部１０２Ａを所定方向の軸（例えば、図２における軸Ｂ等）周りに所定角度回動自在に構成されている。
また、装置本体部１００Ａの基端部１０１Ａには、撮像部１等が設けられている一方で、装置本体部１００Ａの先端部１０２Ａには、表示部７の表示パネル７ａ（後述）等が設けられている。先端部１０２Ａを基端部１０１Ａに対して相対的に略１８０度回動させることで、表示パネル７ａを撮像部１のレンズ部１ａ（後述）の露出面と同じ側と（被写体側に臨むように）したり、反対側とすることができるようになっている。そして、表示パネル７ａをレンズ部１ａの露出面と同じ側とした状態では、ユーザが表示パネル７ａに表示される画像を視認しながら、所謂、自分撮りを行うことができる。
【００１４】
撮像部１は、所定の被写体（例えば、人等）を撮像してフレーム画像を生成する。
具体的には、撮像部１は、レンズ部１ａと、電子撮像部１ｂと、レンズ駆動部１ｃとを備えている。
【００１５】
レンズ部１ａは、例えば、ズームレンズやフォーカスレンズ等の複数のレンズから構成されている。また、レンズ部１ａは、装置本体部１００Ａの基端部１０１Ａに設けられ、当該レンズ部１ａの何れか一のレンズは、当該撮像装置１００を構えた状態で、被写体側に臨むように露出されている。
電子撮像部１ｂは、例えば、ＣＣＤ（Charge Coupled Device）やＣＭＯＳ（Complementary Metal-oxide Semiconductor）等のイメージセンサ（撮像素子）から構成されている。そして、電子撮像部１ｂは、レンズ部１ａの各種レンズを通過した光学像を二次元の画像信号に変換する。
レンズ駆動部１ｃは、例えば、図示は省略するが、ズームレンズを光軸方向に移動させるズーム駆動部、フォーカスレンズを光軸方向に移動させる合焦駆動部等を備えている。
なお、撮像部１は、レンズ部１ａ、電子撮像部１ｂ及びレンズ駆動部１ｃに加えて、レンズ部１ａを通過する光の量を調整する絞り（図示略）を備えても良い。
【００１６】
撮像制御部２は、撮像部１による被写体の撮像を制御する。即ち、撮像制御部２は、図示は省略するが、タイミング発生器、ドライバなどを備えている。そして、撮像制御部２は、タイミング発生器、ドライバにより電子撮像部１ｂを走査駆動して、レンズ部１ａを通過した光学像を電子撮像部１ｂにより所定周期毎に二次元の画像信号に変換させ、当該電子撮像部１ｂの撮像領域から１画面分ずつフレーム画像を読み出して画像データ生成部３に出力させる。
【００１７】
また、撮像制御部２は、タイマー撮像処理の実行を制御する。
即ち、撮像制御部（撮像制御手段）２は、撮像指示が入力されてから所定の条件で自動的に撮像部１により被写体を撮像させる自動撮像処理の実行を制御する。
ここで、所定の条件は、撮像指示が入力されてから所定の時間後に撮像部１により被写体を撮像させるタイマー撮像処理（自動撮像処理）の実行に係る条件を含む。
具体的には、撮像制御部２は、例えば、ユーザによる操作入力部８の所定操作に基づいてタイマー撮像処理が選択されると、ユーザによるシャッタボタンの所定操作に基づいて撮像指示が中央制御部９に入力されてから撮像部１により被写体を撮像させるタイミングを所定の時間（例えば、１０秒等）経過後に設定する。つまり、タイマー撮像処理にて、撮像制御部２は、ユーザによるシャッタボタンの所定操作に基づいて撮像指示が中央制御部９に入力されると、図示しない計時回路（例えば、タイマー等）による計時を開始させ、所定の時間経過した時点で、撮像部１を制御して被写体を撮像させる。
【００１８】
また、撮像制御部２は、第１設定制御部２ａを具備し、この第１設定制御部２ａにより設定された条件に従って、タイマー撮像処理の実行を制御する。
【００１９】
第１設定制御部２ａは、撮像される被写体の数に応じて、タイマー撮像処理におけるタイマー時間を設定する。
即ち、第１設定制御部（第１設定制御手段）２ａは、画像処理部６の第１特定部６ｂ（後述）により特定された被写体の数に応じて、タイマー撮像処理（自動撮像処理）にて撮像指示が中央制御部９に入力されてから撮像部１が被写体を撮像するまでに計時回路により計時されるタイマー時間を変化させる。具体的には、第１設定制御部２ａは、第１特定部６ｂにより特定された被写体としての人の数が多いほどタイマー撮像処理におけるタイマー時間を相対的に長くするように設定する。
例えば、第１設定制御部２ａは、第１特定部６ｂ（後述）により特定された被写体としての人の数が所定数よりも多いか否かに応じて、タイマー時間を第１の時間とするか、この第１の時間よりも長い第２の時間とするかを決定する。
そして、第１設定制御部２ａによりタイマー時間が設定されると、撮像制御部２は、撮像指示が中央制御部９に入力されてから当該タイマー時間が経過した時点で、撮像部１を制御して被写体を撮像させる。
【００２０】
なお、撮像制御部２は、レンズ部１ａのフォーカスレンズに代えて、電子撮像部１ｂを光軸方向に移動させてレンズ部１ａの合焦位置を調整するようにしても良い。
また、撮像制御部２は、ＡＦ（自動合焦処理）、ＡＥ（自動露出処理）、ＡＷＢ（自動ホワイトバランス）等の被写体を撮像する際の条件の調整制御を行っても良い。
【００２１】
画像データ生成部３は、電子撮像部１ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ４にＤＭＡ転送される。
【００２２】
メモリ４は、例えば、ＤＲＡＭ（Dynamic Random Access Memory）等により構成され、画像処理部６や中央制御部９等によって処理されるデータ等を一時的に格納する。
【００２３】
記録媒体制御部５は、記録媒体Ｍが着脱自在に構成され、装着された記録媒体Ｍからのデータの読み出しや記録媒体Ｍに対するデータの書き込みを制御する。
即ち、記録媒体制御部５は、所定の符号化方式（例えば、ＪＰＥＧ形式、モーションＪＰＥＧ形式、ＭＰＥＧ形式など）に従って符号化された静止画像の画像データや複数の画像フレームからなる動画像の画像データを記録媒体Ｍから読み出して画像処理部６に転送する。
なお、記録媒体Ｍは、例えば、不揮発性メモリ（フラッシュメモリ）等により構成されるが、一例であってこれに限られるものではなく、適宜任意に変更可能である。
【００２４】
画像処理部６は、顔検出部６ａと、第１特定部６ｂと、第２特定部６ｃとを具備している。
なお、画像処理部６の各部は、例えば、所定のロジック回路から構成されているが、当該構成は一例であってこれに限られるものではない。
また、後述する画像処理部６による各処理は、処理対象となる画像データを必要に応じて所定の比率で縮小した所定サイズ（例えば、ＶＧＡサイズ等）の縮小画像データに対して行われても良い。
【００２５】
顔検出部６ａは、処理対象となる画像から顔領域を検出する。
即ち、顔検出部６ａは、画像処理部６により取得された処理対象となる画像から顔が含まれる顔領域を検出する。具体的には、画像処理部６は、撮像部１及び撮像制御部２による被写体の撮像によって画像データ生成部３により生成された画像の画像データ（ＲＧＢデータやＹＵＶデータ）の複製をメモリ４から取得し、顔検出部６ａは、当該画像データに対して所定の顔検出処理を行って顔領域を検出する。
なお、顔検出処理は、公知の技術であるので、ここでは詳細な説明を省略する。
【００２６】
第１特定部６ｂは、撮像部１により撮像された被写体の数を特定する。
即ち、第１特定部（第１特定手段）６ｂは、タイマー撮像処理（自動撮像処理）にて、撮像部１による撮像の対象となる被写体としての人の数を特定する。具体的には、第１特定部６ｂは、顔検出部６ａによる顔検出処理の結果に基づいて、当該顔検出処理にて検出された顔領域の数を被写体としての人の数として特定する。
なお、上記した被写体の数の特定処理は、一例であってこれに限られるものではなく、適宜任意に変更可能である。
【００２７】
第２特定部６ｃは、撮像部１により撮像された被写体としての人の顔の位置を特定する。
即ち、第２特定部（第２特定手段）６ｃは、タイマー撮像処理（自動撮像処理）にて、撮像部１により撮像された被写体としての人の顔の位置を特定する。具体的には、第２特定部６ｃは、顔検出部６ａによる顔検出処理の結果に基づいて、当該顔検出処理にて検出された顔領域の所定位置（例えば、略中心や四隅等）の位置座標を被写体としての人の顔の位置として特定する。
なお、上記した被写体としての人の顔の位置の特定処理は、一例であってこれに限られるものではなく、適宜任意に変更可能である。
【００２８】
表示部７は、表示パネル７ａと、表示制御部７ｂとを具備している。
表示パネル７ａは、表示画面内に画像を表示する。また、表示パネル７ａは、図２に示す装置本体部１００Ａの先端部１０２Ａに設けられ、当該先端部１０２Ａを所定方向の軸（例えば、図２における軸Ｂ等）周りに基端部１０１Ａに対して相対的に略１８０度回動させることで、表示パネル７ａの表示画面を被写体側や撮像者側に臨むように配設可能となっている。
なお、表示パネル７ａとしては、例えば、液晶表示パネルや有機ＥＬ表示パネルなどが挙げられるが、一例であってこれらに限られるものではない。
【００２９】
表示制御部７ｂは、メモリ４に一時的に格納されている表示用の画像データを読み出して、画像処理部６により復号された所定サイズの画像データに基づいて、所定の画像を表示パネル７ａの表示画面に表示させる制御を行う。具体的には、表示制御部７ｂは、ＶＲＡＭ（Video Random Access Memory）、ＶＲＡＭコントローラ、デジタルビデオエンコーダなど（何れも図示略）を備えている。そして、デジタルビデオエンコーダは、画像処理部６により復号されてＶＲＡＭに記憶されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル７ａに出力する。
例えば、表示制御部７ｂは、静止画撮像モードや動画撮像モードにて、撮像部１及び撮像制御部２による被写体の撮像により生成された複数のフレーム画像を所定のフレームレートで逐次更新しながらライブビュー画像Ｇを表示パネル７ａの表示画面に表示させる。また、表示制御部７ｂは、静止画として記録される画像（レックビュー画像）を表示パネル７ａの表示画面に表示させたり、動画として記録中の画像を表示パネル７ａの表示画面に表示させる。
【００３０】
また、表示制御部７ｂは、タイマー撮像処理におけるタイマー表示Ｔの大きさ及び位置を変化させる。
即ち、表示制御部（表示制御手段）７ｂは、第１特定部６ｂにより特定された被写体の数に応じて、撮像部１により撮像される画像を表示する表示パネル７ａに表示される自動撮像処理にて被写体が撮像されるまでの間に変化する所定の条件に係る条件関連表示の大きさ及び位置のうちの少なくとも一方を変化させる。具体的には、表示制御部７ｂは、タイマー撮像処理にて、被写体が撮像されるまでの残り時間を示すタイマー表示（残り時間表示）Ｔの大きさ及び位置を変化させる。
例えば、表示制御部７ｂは、撮像部１により撮像されるライブビュー画像Ｇを表示パネル７ａに表示させるとともに、当該ライブビュー画像Ｇに重畳させてタイマー表示Ｔを表示パネル７ａの表示画面の所定位置に表示させるようになっている。このとき、表示制御部７ｂは、第１特定部６ｂにより特定された被写体としての人の数が多いほど、表示パネル７ａの表示画面の寸法に対して相対的に大きい態様でタイマー表示（条件関連表示）Ｔを当該表示画面に表示させるようになっている（図５（ａ）参照）。また、表示制御部７ｂは、撮像部１により撮像される被写体としての人のライブビュー画像Ｇを表示パネル７ａの表示画面に表示させるとともに、当該ライブビュー画像Ｇにおける第２特定部６ｃにより特定された人の顔の位置とは異なる位置にタイマー表示（条件関連表示）Ｔを表示させるようになっている（図５（ｂ）参照）。
【００３１】
例えば、第１特定部６ｂにより第１判定値以上の人（例えば、１０人等）が特定された場合には、表示制御部７ｂは、表示パネル７ａに表示されるライブビュー画像Ｇの所定位置（例えば、略中央部等）に、タイマー表示Ｔを当該表示パネル７ａの表示画面の寸法（総画素数）に対して所定の比率以上となるような第１寸法で重畳表示させる（図５（ａ）参照）。
また、第１特定部６ｂにより第１判定値よりも小さい第２判定値以上で、かつ、第１判定値よりも少ない人（例えば、５人等）が特定された場合には、表示制御部７ｂは、タイマー表示Ｔを第１寸法よりも小さい（構成画素数の少ない）第２寸法でライブビュー画像Ｇ内の人の顔の位置とは異なる位置（例えば、図５（ｂ）中、向かって左下部等）に重畳表示させる。
また、第１特定部６ｂにより第２判定値よりも小さい第３判定値以上で、かつ、第２判定値よりも少ない人（例えば、２人等）が特定された場合には、表示制御部７ｂは、タイマー表示Ｔを第２寸法よりも小さい（構成画素数の少ない）第３寸法でライブビュー画像Ｇ内の人の顔の位置とは異なる位置（例えば、図６（ａ）中、向かって左下部等）に重畳表示させる。
なお、図５（ａ）等における「１０」という表記は、タイマーの残り時間が１０秒を表しており、計時により減少していく（カウントダウンされる）タイマー表示Ｔの一例を模式的に表している。
【００３２】
また、第１特定部６ｂにより被写体としての人の顔が特定されなかった場合、表示制御部７ｂは、表示パネル７ａの表示画面内の端部に当該表示パネル７ａの表示画面の寸法に対して相対的に小さい態様でタイマー表示Ｔを表示させるようになっている。即ち、第１特定部６ｂにより特定された人の顔が０（ゼロ）の場合には、表示制御部７ｂは、例えば、タイマー表示Ｔを第３寸法でライブビュー画像Ｇにおける端部（例えば、図６（ｂ）中、向かって左下部等）に重畳表示させる。
なお、第１特定部６ｂにより特定された人の顔が０の場合と、第１特定部６ｂにより第３判定値以上で、かつ、第２判定値よりも少ない人（例えば、２人等）が特定された場合との双方で、タイマー表示Ｔの寸法を第３寸法とするようにしたが、一例であってこれに限られるものではなく、タイマー表示Ｔの寸法は適宜任意に変更可能である。
【００３３】
なお、上記したタイマー表示（条件関連表示）Ｔの表示制御は、一例であってこれらに限られるものではなく、適宜任意に変更可能である。
また、表示制御部７ｂは、被写体の数に応じて、タイマー表示（条件関連表示）Ｔの大きさ及び位置を変化させるようにしたが、一例であってこれに限られるものではなく、例えば、タイマー表示Ｔの大きさのみ、或いは、タイマー表示Ｔの位置のみを変化させるようにしても良い。
【００３４】
操作入力部８は、当該撮像装置１００の所定操作を行うためのものである。具体的には、操作入力部８は、被写体の撮像指示に係るシャッタボタン、撮像モードや機能等の選択指示に係る選択決定ボタン、ズーム量の調整指示に係るズームボタン等（何れも図示略）の操作部を備え、当該操作部の各ボタンの操作に応じて所定の操作信号を中央制御部９に出力する。
【００３５】
中央制御部９は、撮像装置１００の各部を制御するものである。具体的には、中央制御部９は、図示は省略するが、ＣＰＵ（Central Processing Unit）等を備え、撮像装置１００用の各種処理プログラム（図示略）に従って各種の制御動作を行う。
【００３６】
＜撮像処理＞
次に、撮像装置１００による撮像処理について、図３〜図６を参照して説明する。
図３及び図４は、撮像処理に係る動作の一例を示すフローチャートである。
【００３７】
撮像処理は、ユーザによる操作入力部８の選択決定ボタンの所定操作に基づいて、メニュー画面に表示された複数の動作モードの中から撮像モードが選択指示された場合に、中央制御部９の制御下にて当該撮像装置１００の各部により実行される処理である。
【００３８】
図３に示すように、先ず、中央制御部９のＣＰＵは、ユーザによる操作入力部８の所定操作に基づいてタイマー撮像モードの指定指示が入力されると、当該指定指示を撮像制御部２に出力して、撮像制御部２は、撮像モードをタイマー撮像処理モードに指定する（ステップＳ１）。
続けて、顔検出部６ａは、撮像部１及び撮像制御部２による被写体の撮像によって画像データ生成部３により生成されたライブビュー画像Ｇの画像データの複製をメモリ４から取得し、当該画像データに対して所定の顔検出処理を行って顔領域を検出する（ステップＳ２）。このとき、表示制御部７ｂは、顔検出部６ａにより検出された顔領域に重畳させるように顔検出枠Ｗを表示させる（図５（ａ）等参照）。
【００３９】
次に、中央制御部９のＣＰＵは、ユーザによる操作入力部８のシャッタボタンの所定操作に基づいて撮像指示が入力されたか否かを判定する（ステップＳ３）。
ここで、撮像指示が入力されていないと判定されると（ステップＳ３；ＮＯ）、中央制御部９のＣＰＵは、処理をステップＳ２に戻し、顔検出部６ａは、顔領域を検出する処理を行う。
【００４０】
一方、ステップＳ３にて、撮像指示が入力されたと判定されると（ステップＳ３；ＹＥＳ）、第１特定部６ｂは、顔検出部６ａによる顔検出処理の結果に基づいて、当該顔検出処理にて検出された顔領域の数を被写体としての人の数として特定する（ステップＳ４）。
次に、第１特定部６ｂにより特定された被写体の数に応じて、撮像制御部２の第１設定制御部２ａは、撮像部１により被写体を撮像するまでのタイマー時間を設定して、計時回路（例えば、タイマー等）は計時を開始する（ステップＳ５）。具体的には、第１設定制御部２ａは、被写体としての人の数が多いほどタイマー時間を相対的に長くするように設定する。
【００４１】
続けて、表示制御部７ｂは、第１特定部６ｂにより特定された被写体としての人の数が０（ゼロ）であるか否かを判定する（ステップＳ６）。
ここで、被写体としての人の数が０であると判定されると（ステップＳ６；ＹＥＳ）、表示制御部７ｂは、表示パネル７ａに表示されるライブビュー画像Ｇにおける端部（例えば、図６（ｂ）中、向かって左下部等）に重畳させて、タイマー表示Ｔを第３寸法で表示させる（ステップＳ７；図６（ｂ）参照）。続けて、撮像制御部２は、計時回路による計時によりカウントダウンされるタイマーの残り時間が０であるか否かを判定する（ステップＳ８）。即ち、撮像制御部２は、タイマーの残り時間が０である、被写体を撮像して画像を記録するタイミングであるか否かを判定する。
【００４２】
ステップＳ８にて、タイマーの残り時間が０でないと判定されると（ステップＳ８；ＮＯ）、被写体の画像を記録するタイミングでないので、中央制御部９のＣＰＵは、処理をステップＳ７に戻し、表示制御部７ｂは、計時回路による計時に応じて減少させるようにタイマーの残り時間を更新して表示パネル７ａに表示させる。
一方、ステップＳ８にて、タイマーの残り時間が０であると判定されると（ステップＳ８；ＹＥＳ）、撮像制御部２は、撮像部１を制御して被写体を１回だけ撮像させ、記録媒体制御部５は、被写体の画像データを記録媒体Ｍに記録させる（ステップＳ９）。具体的には、撮像制御部２は撮像部１により被写体を撮像させ、画像データ生成部３は被写体の画像データを生成して記録媒体制御部５に出力し、記録媒体制御部５は、所定の符号化方式に従って符号化された被写体の画像データを記録媒体Ｍに記録させる。
【００４３】
一方、ステップＳ６にて、被写体としての人の数が０でないと判定されると（ステップＳ６；ＮＯ）、表示制御部７ｂは、第１特定部６ｂにより特定された被写体としての人の数が、２以下であるか否かを判定する（ステップＳ１０）。
ここで、被写体としての人の数が、２以下であると判定されると（ステップＳ１０；ＹＥＳ）、表示制御部７ｂは、表示パネル７ａに表示されるライブビュー画像Ｇにおける端部（例えば、図６（ａ）中、向かって左下部等）に重畳させて、タイマー表示Ｔを第３寸法で表示させる（ステップＳ１１；図６（ａ）参照）。続けて、撮像制御部２は、計時回路による計時によりカウントダウンされるタイマーの残り時間が０であるか否かを判定する（ステップＳ１２）。
【００４４】
ステップＳ１２にて、タイマーの残り時間が０でないと判定されると（ステップＳ１２；ＮＯ）、被写体の画像を記録するタイミングでないので、中央制御部９のＣＰＵは、処理をステップＳ１１に戻し、表示制御部７ｂは、計時回路による計時に応じて減少させるようにタイマーの残り時間を更新して表示パネル７ａに表示させる。
一方、ステップＳ１２にて、タイマーの残り時間が０であると判定されると（ステップＳ１２；ＹＥＳ）、中央制御部９のＣＰＵは、処理をステップＳ９に移行させ、撮像制御部２は、撮像部１を制御して被写体を１回だけ撮像させ、記録媒体制御部５は、被写体の画像データを記録媒体Ｍに記録させる（ステップＳ９）。
【００４５】
一方、ステップＳ１０にて、被写体としての人の数が、２以下でないと判定されると（ステップＳ１０；ＮＯ）、図４に示すように、表示制御部７ｂは、第１特定部６ｂにより特定された被写体としての人の数が、５以下であるか否かを判定する（ステップＳ１３）。
ここで、被写体としての人の数が、５以下であると判定されると（ステップＳ１３；ＹＥＳ）、表示制御部７ｂは、表示パネル７ａに表示されるライブビュー画像Ｇにおける端部（例えば、図５（ｂ）中、向かって左下部等）に重畳させて、タイマー表示Ｔを第３寸法よりも大きい第２寸法で表示させる（ステップＳ１４）。続けて、撮像制御部２は、計時回路による計時によりカウントダウンされるタイマーの残り時間が０であるか否かを判定する（ステップＳ１５）。
【００４６】
ステップＳ１５にて、タイマーの残り時間が０でないと判定されると（ステップＳ１５；ＮＯ）、被写体の画像を記録するタイミングでないので、中央制御部９のＣＰＵは、処理をステップＳ１４に戻し、表示制御部７ｂは、計時回路による計時に応じて減少させるようにタイマーの残り時間を更新して表示パネル７ａに表示させる。
一方、ステップＳ１５にて、タイマーの残り時間が０であると判定されると（ステップＳ１５；ＹＥＳ）、図３に示すように、中央制御部９のＣＰＵは、処理をステップＳ９に移行させ、撮像制御部２は、撮像部１を制御して被写体を１回だけ撮像させ、記録媒体制御部５は、被写体の画像データを記録媒体Ｍに記録させる（ステップＳ９）。
【００４７】
一方、ステップＳ１３にて、被写体としての人の数が、５以下でないと判定されると（ステップＳ１３；ＮＯ）、表示制御部７ｂは、表示パネル７ａに表示されるライブビュー画像Ｇにおける略中央部に重畳させて、タイマー表示Ｔを第２寸法よりも大きい第１寸法で表示させる（ステップＳ１６；図５（ａ）参照）。続けて、撮像制御部２は、計時回路による計時によりカウントダウンされるタイマーの残り時間が０であるか否かを判定する（ステップＳ１７）。
【００４８】
ステップＳ１７にて、タイマーの残り時間が０でないと判定されると（ステップＳ１７；ＮＯ）、被写体の画像を記録するタイミングでないので、中央制御部９のＣＰＵは、処理をステップＳ１６に戻し、表示制御部７ｂは、計時回路による計時に応じて減少させるようにタイマーの残り時間を更新して表示パネル７ａに表示させる。
一方、ステップＳ１７にて、タイマーの残り時間が０であると判定されると（ステップＳ１７；ＹＥＳ）、図３に示すように、中央制御部９のＣＰＵは、処理をステップＳ９に移行させ、撮像制御部２は、撮像部１を制御して被写体を１回だけ撮像させ、記録媒体制御部５は、被写体の画像データを記録媒体Ｍに記録させる（ステップＳ９）。
【００４９】
以上のように、本実施形態の撮像装置１００によれば、撮像部１により撮像された被写体の数に応じて、被写体側に臨むように配設された表示パネル７ａに表示されるタイマー表示（条件関連表示）Ｔの大きさ及び位置のうちの少なくとも一方を変化させるので、撮像部１により撮像された被写体の画像を表示する一の表示パネル７ａに、自動撮像処理にて被写体が撮像されるまでの間に変化する所定の条件に係る条件関連表示を表示させることができ、当該条件関連表示を用いて複数の被写体の自動撮像処理を好適に行うことができる。具体的には、一の表示パネル７ａにタイマー撮像処理にて被写体が撮像されるまでの残り時間を示すタイマー表示Ｔを表示させることができ、当該タイマー表示（条件関連表示）Ｔを被写体の数に応じて適正な大きさや位置とすることができる。
即ち、焦点距離を固定した状態では画角が所定の大きさであり、当該装置本体に対して被写体の存する位置（被写体距離）に応じて撮像部１により撮像可能な被写体の数も増減することとなる。例えば、当該装置本体から被写体までの距離が相対的に近い場合には、相対的に少ない数の被写体しか撮像することができないのに対して、被写体までの距離が相対的に遠い場合には、相対的に多い数の被写体を撮像することができることとなる。そこで、撮像部１により撮像された被写体の数の増減が被写体までの距離の遠近に相当するものと仮定し、当該被写体によるタイマー表示Ｔの視認性及び構図の確認を考慮してタイマー表示Ｔの大きさや位置を被写体の数に応じて適正に変化させるようになっている。具体的には、被写体の数が多いほどタイマー表示Ｔを表示パネル７ａの表示画面に対して相対的に大きく表示させることで、被写体までの距離が相対的に遠くなっても当該タイマー表示Ｔの被写体による視認性の低下を抑制することができる。また、被写体としての人の顔が特定されなかった場合には、タイマー表示Ｔを表示パネル７ａの表示画面内の端部に当該表示画面に対して相対的に小さく表示させるので、当該タイマー表示Ｔを被写体に視認させる必要のない場合等には景色や花等の撮像であると考えられることから、表示パネル７ａに表示されるタイマー表示Ｔがユーザによる構図の確認の邪魔にならないように、構図の確認を優先させたタイマー表示Ｔとすることができる。
【００５０】
また、撮像されるライブビュー画像Ｇを表示パネル７ａに表示させるとともに、当該ライブビュー画像Ｇに重畳させてタイマー表示Ｔを当該表示パネル７ａに表示させるので、表示パネル７ａに表示されるライブビュー画像Ｇ及びタイマー表示Ｔをユーザに視認させることができ、被写体の構図とともに撮像されるまでの残り時間をユーザに把握させることができる。
【００５１】
また、撮像された被写体としての人の画像を表示パネル７ａに表示させるとともに、当該画像における人の顔の位置とは異なる位置にタイマー表示Ｔを表示させるので、タイマー表示Ｔが被写体である人の顔の位置や表情等の当該被写体による確認の邪魔にならないように、当該タイマー表示Ｔを表示パネル７ａに表示させることができる。
【００５２】
また、被写体の数に応じて、タイマー撮像処理にて撮像部１が被写体を撮像するまでのタイマー時間を変化させるので、当該タイマー時間を被写体の数に応じて適正な長さに設定することができる。即ち、複数の被写体を撮像する場合、全ての被写体の準備が整うまでに相対的に長い時間がかかると考えられるので、被写体の数が相対的に多いほどタイマー撮像処理におけるタイマー時間を相対的に長くするように設定することで、何れかの被写体の準備が整う前に撮像してしまうといったミスを低減させることができる。
このように、被写体の数に応じてタイマー時間を設定することで、タイマー撮像処理の使い勝手をより向上させることができる。
なお表示サイズは、上述の実施形態のように段階的に変化させるものではなく、人数に比例して変化させてもよい。
【００５３】
なお、上記実施形態では、被写体の数に応じてタイマー時間を変化させるようにしたが、一例であってこれに限られるものではなく、必ずしもタイマー時間を変化させる必要はない。即ち、撮像装置１００が第１設定制御部２ａを具備するか否かは適宜任意に変更可能である。
【００５４】
また、本発明は、上記実施形態に限定されることなく、本発明の趣旨を逸脱しない範囲において、種々の改良並びに設計の変更を行っても良い。
以下に、撮像装置１００の変形例について説明する。
【００５５】
＜変形例１＞
図７は、変形例１の撮像装置２００の概略構成を示すブロック図である。
なお、変形例１の撮像装置２００は、以下に詳細に説明する以外の点で上記実施形態の撮像装置１００と略同様の構成をなし、詳細な説明は省略する。
【００５６】
図７に示すように、変形例１の撮像装置２００にあっては、撮像制御部２は、第１設定制御部２ａに加えて第２設定制御部２ｂを具備し、また、画像処理部６は、顔検出部６ａ、第１特定部６ｂ及び第２特定部６ｃに加えて画像選択部６ｄを具備している。
【００５７】
画像処理部６は、第１設定制御部２ａや第２設定制御部２ｂにより設定された条件に従って、タイマー撮像処理の実行を制御する。
【００５８】
第２設定制御部２ｂは、撮像される被写体の数に応じて、タイマー撮像処理における撮像枚数を設定する。
即ち、第２設定制御部（第２設定制御手段）２ｂは、画像処理部６の第１特定部６ｂにより特定された被写体の数に応じて、タイマー撮像処理（自動撮像処理）にて撮像部１が被写体を連続して撮像する撮像枚数を変化させる。具体的には、第２設定制御部２ｂは、第１特定部６ｂにより特定された被写体としての人の数が多いほどタイマー撮像処理における撮像枚数を相対的に多くするように設定する。
例えば、第２設定制御部２ｂは、第１特定部６ｂにより特定された被写体としての人の数に基づいて、所定の演算式に従って枚数が増加するように撮像枚数を設定する。つまり、第２設定制御部２ｂは、被写体として１人の人が特定された場合、或いは、人が特定されなかった場合には、撮像枚数を１枚に設定する。また、２人以上の人が特定された場合、第２設定制御部２ｂは、例えば、被写体としての人が２人なら撮像枚数を３枚、被写体としての人が５人なら撮像枚数を５枚、被写体としての人が１０人なら撮像枚数を８枚といったように、撮像枚数を２以上に設定する。
そして、第２設定制御部２ｂにより撮像枚数が設定されると、撮像制御部２は、撮像指示が中央制御部９に入力されてから所定の時間が経過した時点で、撮像部１を所定の時間間隔で制御して当該撮像枚数分の被写体の画像が生成されるまで連続して撮像させる。
なお、上記した撮影枚数は、一例であってこれに限られるものではなく、適宜任意に設定可能である。
【００５９】
画像選択部６ｄは、連続して撮像された複数の画像の中で、特定の画像を選択する。
即ち、画像選択部（選択手段）６ｄは、タイマー撮像処理（自動撮像処理）にて、撮像部１により連続して撮像された所定枚数の画像の中で、当該画像内の被写体の状態を基準として特定の画像を選択する。具体的には、画像選択部６ｄは、撮像部１により連続して撮像された複数の画像の各々について、被写体としての各人の顔の状態（例えば、目の瞬き度合、笑顔度合、ぶれ度合い等）を評価して、良い顔ほど値が小さくなるように変換した評価値を算出する。そして、画像選択部６ｄは、算出された評価値が最も良い（最も小さい）画像を特定の画像として選択する。
なお、目の瞬き度合、笑顔度合、ぶれ度合い等の評価の手法は、公知の技術であるので、ここでは詳細な説明を省略する。また、人の顔の状態として、目の瞬き度合や笑顔度合を例示したが、一例であってこれらに限られるものではなく、適宜任意に変更可能である。
【００６０】
＜撮像処理＞
次に、変形例１の撮像装置２００による撮像処理について図４及び図８を参照して説明する。
図８は、撮像処理に係る動作の一例を示すフローチャートである。
なお、変形例１の撮像装置２００による撮像処理は、以下に詳細に説明する以外の点で上記実施形態の撮像装置１００による撮像処理と略同様であり、詳細な説明は省略する。
【００６１】
図８に示すように、変形例１の撮像装置２００は、上記実施形態における撮像処理と同様に、ステップＳ１〜Ｓ４の各処理を実行する。そして、ステップＳ４にて、第１特定部６ｂにより特定された被写体の数に応じて、撮像制御部２の第１設定制御部２ａは、撮像部１により被写体を撮像するまでのタイマー時間を設定するとともに、第２設定制御部２ｂは、撮像部１が被写体を連続して撮像する撮像枚数を設定する（ステップＳ２１）。具体的には、第１設定制御部２ａは、上記実施形態における撮像処理と同様に、被写体としての人の数が多いほどタイマー時間を相対的に長くするように設定する。また、第２設定制御部２ｂは、被写体としての人の数が多いほどタイマー撮像処理における撮像枚数を相対的に多くするように設定する。
【００６２】
その後、変形例１の撮像装置２００は、上記実施形態における撮像処理と同様に、ステップＳ６以降の各処理を実行する。そして、ステップＳ８にて、タイマーの残り時間が０であると判定されると（ステップＳ８；ＹＥＳ）、撮像制御部２は、撮像部１を制御して、ステップＳ２１にて設定済みの撮像枚数分の被写体を撮像させ、画像選択部６ｄは、撮像された所定枚数の画像の中で、当該画像内の被写体としての人の顔の状態を基準として特定の画像を選択する（ステップＳ２２）。
同様に、ステップＳ１２にて、タイマーの残り時間が０であると判定されるか（ステップＳ１２；ＹＥＳ）、或いは、ステップＳ１５にて、タイマーの残り時間が０であると判定されるか（ステップＳ１５；ＹＥＳ）、或いは、ステップＳ１７にて、タイマーの残り時間が０であると判定された場合（ステップＳ１７；ＹＥＳ）にも、撮像制御部２は、ステップＳ２２の処理を行う。
【００６３】
例えば、ステップＳ２１にて、撮像枚数として１枚が設定されていた場合、撮像制御部２は、撮像部１を制御して１回だけ被写体を撮像させ、画像選択部６ｄは、撮像された画像を特定の画像を選択する（ステップＳ２２）。
また、例えば、ステップＳ２１にて、撮像枚数として２枚以上が設定されていた場合、撮像制御部２は、撮像部１を制御して、設定済みの撮像枚数分だけ被写体を連続して撮像させ、画像選択部６ｄは、撮像された複数の画像の中で、当該画像内の被写体としての人の顔の状態を基準として特定の画像を１枚選択する（ステップＳ２２）。
その後、記録媒体制御部５は、所定の符号化方式に従って符号化された特定の画像の画像データを記録媒体Ｍに記録させる（ステップＳ２３）。
【００６４】
従って、変形例１の撮像装置２００によれば、上記実施形態と同様に、一の表示パネル７ａに表示されるタイマー表示（条件関連表示）Ｔを用いて複数の被写体の自動撮像処理を好適に行うことができる。加えて、被写体の数に応じて、タイマー撮像処理にて撮像部１が被写体を連続して撮像する撮像枚数を変化させるので、当該撮像枚数を被写体の数に応じて適正な数に設定することができる。即ち、複数の被写体を撮像する場合、全ての被写体が一のタイミングで同時に準備が整わない虞もあることから、被写体の数が相対的に多いほどタイマー撮像処理における撮像枚数を相対的に多くするように設定することで、何れかの被写体の準備が整っていない状態で撮像してしまうといったミスを低減させることができる。
さらに、連続して撮像された所定枚数の画像の中で、当該画像内の被写体の状態を基準として特定の画像を選択するので、複数の被写体を撮像する場合であっても、より多くの被写体の状態（例えば、人の場合には表情等）が最も良い特定の画像を選択することができる。
このように、被写体の数に応じて撮像枚数を設定することで、タイマー撮像処理の使い勝手をより向上させることができる。
【００６５】
また、上記実施形態及び変形例１にあっては、自動撮像処理として、撮像指示が入力されてから所定の時間後に被写体を撮像するタイマー撮像処理を例示したが、一例であってこれに限られるものではなく、適宜任意に変更可能である。
例えば、撮像装置１００（２００）は、複数の被写体の全てが特定の状態（例えば、笑顔状態や目が開いた状態等）となったことをトリガーとして自動的に当該被写体を撮像する自動撮像処理を実行するようにし、撮像対象となる被写体の数に応じて、表示パネル７ａに表示される特定の状態となっている被写体の数に係る被写体状態表示（条件関連表示）Ｃの大きさや位置を変化させるようにしても良い（図９（ａ）及び図９（ｂ）参照）。
【００６６】
具体的には、画像処理部６は、顔検出部６ａによりライブビュー画像Ｇ内から検出された被写体としての人の顔が特定の状態（例えば、笑顔状態や目が開いた状態等）となっているか否かを判定する。つまり、画像処理部６は、自動撮像処理にて被写体が撮像されるまでの間に変化する当該被写体の所定の条件が成立しているか否かを判定する。
なお、笑顔状態、目が開いた状態等の判定の手法は、公知の技術であるので、ここでは詳細な説明を省略する。また、人の顔の特定の状態として、笑顔状態や目が開いた状態を例示したが、一例であってこれらに限られるものではなく、適宜任意に変更可能である。
【００６７】
表示制御部７ｂは、第１特定部６ｂにより特定された被写体の数に応じて、表示パネル７ａに表示される撮像指示の入力後に変化する特定の状態となっている被写体の数に係る被写体状態表示Ｃの大きさ及び位置のうちの少なくとも一方を変化させる。また、表示制御部７ｂは、例えば、表示パネル７ａの表示画面に表示されるライブビュー画像Ｇにおける被写体としての人の顔の位置とは異なる位置に被写体状態表示Ｃを表示させるようになっている。このとき、表示制御部７ｂは、被写体としての人の数が多いほど、表示パネル７ａの表示画面の寸法に対して相対的に大きい態様で被写体状態表示Ｔを当該表示画面に表示させるようになっている。
【００６８】
例えば、第１特定部６ｂにより所定の判定値以上の人（例えば、３人等）が特定された場合には、表示制御部７ｂは、表示パネル７ａに表示されるライブビュー画像Ｇの所定位置（例えば、図９（ａ）中、向かって左下部等）に、被写体状態表示Ｔを当該表示パネル７ａの表示画面の寸法（総画素数）に対して所定の比率以上となるような第１寸法でライブビュー画像Ｇに重畳表示させる。また、第１特定部６ｂにより所定の判定値未満の人（例えば、２人等）が特定された場合には、表示制御部７ｂは、被写体状態表示Ｔを第１寸法よりも小さい（構成画素数の少ない）第２寸法でライブビュー画像Ｇに重畳表示させる（図９（ｂ）参照）。
なお、被写体状態表示Ｃの大きさの変化は、一例であってこれに限られるものではなく、判定値や寸法等は適宜任意に変更可能である。また、表示制御部７ｂは、被写体の数に応じて、被写体状態表示Ｃの大きさのみを変化させるようにしたが、一例であってこれに限られるものではなく、例えば、大きさに加えて、或いは、大きさに代えて被写体状態表示Ｃの位置を変化させるようにしても良い。
また、図９（ａ）及び図９（ｂ）における「３」や「２」という表記は、特定の状態となっている被写体の数を表しており、被写体状態表示Ｃの一例を模式的に表している。
【００６９】
従って、一の表示パネル７ａに自動撮像処理にて特定の状態となっている被写体の数に係る被写体状態表示Ｃを表示させることができ、当該被写体状態表示（条件関連表示）Ｃを被写体の数に応じて適正な大きさとすることができる。例えば、特定された被写体の数が多いほど被写体状態表示Ｃを表示パネル７ａの表示画面に対して相対的に大きく表示させることで、被写体までの距離が相対的に遠くなっても当該被写体状態表示Ｃの被写体による視認性の低下を抑制することができる。
【００７０】
また、上記実施形態にあっては、ユーザによるシャッタボタンの所定操作に基づいて撮像指示の入力を行うようにしたが、一例であってこれに限られるものではなく、例えば、被写体としての人の顔検出の終了や、被写体の特定の動作（例えば、ウインク等）の検出等をトリガーとし撮像指示を入力するようにしても良い。
【００７１】
さらに、撮像装置１００、２００の構成は、上記実施形態に例示したものは一例であり、これに限られるものではない。例えば、撮像装置１００、２００は、表示パネル７ａ及び撮像部１のレンズ部１ａがユーザ側に臨むように配設された携帯端末等であっても良い。さらに、撮像装置１００は、表示パネル７ａを必ずしも具備している必要はなく、例えば、表示パネル７ａが装置本体とは別体で構成されていても良い。
【００７２】
加えて、上記実施形態にあっては、撮像制御手段、第１特定手段、表示制御手段としての機能を、中央制御部９の制御下にて、撮像制御部２、第１特定部６ｂ、表示制御部７ｂが駆動することにより実現される構成としたが、これに限られるものではなく、中央制御部９によって所定のプログラム等が実行されることにより実現される構成としても良い。
即ち、プログラムを記憶するプログラムメモリ（図示略）に、撮像制御処理ルーチン、特定処理ルーチン、表示制御処理ルーチンを含むプログラムを記憶しておく。そして、撮像制御処理ルーチンにより中央制御部９のＣＰＵを、撮像指示が入力されてから所定の条件で自動的に撮像手段により被写体を撮像させる自動撮像処理の実行を制御する手段として機能させるようにしても良い。また、特定処理ルーチンにより中央制御部９のＣＰＵを、撮像手段による撮像の対象となる被写体の数を特定する手段として機能させるようにしても良い。また、表示制御処理ルーチンにより中央制御部９のＣＰＵを、特定された被写体の数に応じて、表示手段に表示され、自動撮像処理にて被写体が撮像されるまでの間に変化する所定の条件に係る条件関連表示の大きさ及び位置のうちの少なくとも一方を変化させる手段として機能させるようにしても良い。
【００７３】
同様に、第２特定手段、第１設定制御手段、第２設定制御手段、選択手段についても、中央制御部９のＣＰＵによって所定のプログラム等が実行されることにより実現される構成としても良い。
【００７４】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段と、
被写体側に臨むように配設可能な、前記撮像手段により撮像される画像を表示する表示手段と、
撮像指示が入力されてから所定の条件で自動的に前記撮像手段により被写体を撮像させる自動撮像処理の実行を制御する撮像制御手段と、
前記撮像手段による撮像の対象となる被写体の数を特定する第１特定手段と、
前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段と、
を備えたことを特徴とする撮像装置。
＜請求項２＞
前記所定の条件は、前記撮像指示が入力されてから所定の時間後に前記撮像手段により被写体を撮像させる自動撮像処理の実行に係る条件であって、
前記条件関連表示は、前記被写体が撮像されるまでの残り時間であることを特徴とする請求項１に記載の撮像装置。
＜請求項３＞
前記表示制御手段は、更に、前記第１特定手段により特定された被写体の数が多いほど前記条件関連表示を前記表示手段の表示画面に対して相対的に大きく表示させることを特徴とする請求項１又は２に記載の撮像装置。
＜請求項４＞
前記表示制御手段は、更に、前記撮像手段により撮像されるライブビュー画像を前記表示手段に表示させるとともに、当該ライブビュー画像に重畳させて前記条件関連表示を前記表示手段に表示させることを特徴とする請求項１〜３の何れか一項に記載の撮像装置。
＜請求項５＞
前記撮像手段により撮像された前記被写体としての人の顔の位置を特定する第２特定手段を更に備え、
前記表示制御手段は、前記撮像手段により撮像された前記人の画像を前記表示手段に表示させるとともに、当該画像における前記第２特定手段により特定された前記人の顔の位置とは異なる位置に前記条件関連表示を表示させることを特徴とする請求項１〜４の何れか一項に記載の撮像装置。
＜請求項６＞
前記表示制御手段は、前記第１特定手段により前記被写体としての人の顔が特定されなかった場合に、前記条件関連表示を前記表示手段の表示画面内の端部に当該表示画面に対して相対的に小さく表示させることを特徴とする請求項１〜５の何れか一項に記載の撮像装置。
＜請求項７＞
前記被写体の数に応じて、前記自動撮像処理にて前記撮像手段が前記被写体を撮像するまでの時間を変化させる第１設定制御手段を更に備えることを特徴とする請求項１〜６の何れか一項に記載の撮像装置。
＜請求項８＞
前記第１設定制御手段は、前記第１特定手段により特定された前記被写体の数が多いほど前記自動撮像処理にて前記撮像手段が前記被写体を撮像するまでの時間を相対的に長くすることを特徴とする請求項７に記載の撮像装置。
＜請求項９＞
前記被写体の数に応じて、前記自動撮像処理にて前記撮像手段が被写体を連続して撮像する数を変化させる第２設定制御手段を更に備えることを特徴とする請求項１〜８の何れか一項に記載の撮像装置。
＜請求項１０＞
前記第２設定制御手段は、前記第１特定手段により特定された前記被写体の数が多いほど前記自動撮像処理にて前記撮像手段が前記被写体を撮像する数を相対的に多くすることを特徴とする請求項９に記載の撮像装置。
＜請求項１１＞
前記撮像手段により連続して撮像された所定枚数の画像の中で、当該画像内の被写体の状態を基準として特定の画像を選択する選択手段を更に備えることを特徴とする請求項９又は１０に記載の撮像装置。
＜請求項１１＞
撮像手段と、被写体側に臨むように配設可能な、前記撮像手段により撮像される画像を表示する表示手段と、を備える撮像装置を用いた撮像方法であって、
撮像指示が入力されてから所定の条件で自動的に前記撮像手段により被写体を撮像させる自動撮像処理の実行を制御する処理と、
前記撮像手段による撮像の対象となる被写体の数を特定する処理と、
特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる処理と、
を含むことを特徴とする撮像方法。
＜請求項１２＞
撮像手段と、被写体側に臨むように配設可能な、前記撮像手段により撮像される画像を表示する表示手段と、を備える撮像装置のコンピュータを、
撮像指示が入力されてから所定の条件で自動的に前記撮像手段により被写体を撮像させる自動撮像処理の実行を制御する撮像制御手段、
前記撮像手段による撮像の対象となる被写体の数を特定する第１特定手段、
前記第１特定手段により特定された被写体の数に応じて、前記表示手段に表示され、前記自動撮像処理にて前記被写体が撮像されるまでの間に変化する前記所定の条件に係る条件関連表示の大きさ及び位置のうちの少なくとも一方を変化させる表示制御手段、
として機能させることを特徴とするプログラム。
【符号の説明】
【００７６】
１００、２００  撮像装置
１        撮像部
２        撮像制御部
２ａ      第１設定制御部
２ｂ      第２設定制御部
６        画像処理部
６ａ      顔検出部
６ｂ      第１特定部
６ｃ      第２特定部
６ｄ      画像選択部
７        表示部
７ａ      表示パネル
７ｂ      表示制御部
９        中央制御部
【図１】
2014053664.tif 000003
【図２】
2014053664.tif 000004
【図３】
2014053664.tif 000005
【図４】
2014053664.tif 000006
【図７】
2014053664.tif 000007
【図８】
2014053664.tif 000008
【図５】
2014053664.tif 000009
【図６】
2014053664.tif 000010
【図９】
2014053664.tif 000011